(57)【特許請求の範囲】
【請求項１】
水力発電所の高落差水車用入口弁として採用されるスフェリカルバルブ（１０）であり、球形弁体（１２）の回転中心軸（ｐ）を、該球形弁体（１２）の中心軸（Ｐ）から、前記球形弁体（１２）を配置した弁胴（１１）の胴軸方向に対して垂直方向且つ前記球形弁体（１２）の中心軸（Ｐ）に対して垂直方向に偏心させ、下流側に常用シール（１４）を、上流側にメンテナンスシール（１３）を配設し、上記メンテナンスシール（１３）に水圧を加えて球形弁体（１２）に押し付けるようにしてなるスフェリカルバルブ（１０）において、
上記メンテナンスシール（１３）を上記偏心した球形弁体（１２）の回転中心軸上に中心点を置く円弧上に設置したことを特徴とするスフェリカルバルブ。
【発明の詳細な説明】
【０００１】
【発明の属する技術分野】
この発明は、水力発電所の高落差水車用入口弁として好適なスフェリカルバルブに関する。
【０００２】
【従来の技術】
一般的なスフェリカルバルブとして特願昭５８−５８７００号（特公平４−１２３３号）を挙げることができる。
【０００３】
このスフェリカルバルブは、上流側、下流側のシールが共に水圧または油圧（以下、水圧で表現する）により球形弁体に向けて押しつけてバルブを閉じるようになっている。
【０００４】
上記シールは通常、下流側が常用シール、上流側がメンテナンスシールとなり、常用シールの取り替えなどの時にメンテナンスシールが使用される。
【０００５】
上記のスフェリカルバルブは、高圧水をシールの背面に導入（図２（ｂ），（ｃ）参照）してシールを球形弁体に押しつけるようにしているため構造と操作が複雑にならざるを得ない。
【０００６】
上記の問題を解決するものとして図２に示すものが提案されている。このスフェリカルバルブ２０は、弁胴２１内に球形弁体２２が装填され、その回転中心軸ｐが、球形弁体２２の中心軸Ｐから若干偏心しており、常用シール２４とメンテナンスシール２３は共に球状弁体２２の中心軸Ｐ上に設置されている。
【０００７】
【発明が解決しようとする課題】
上記のように球形弁体の回転中心軸ｐを偏心させたものは、球形弁体２２を回転させると、該球形弁体２２が常用シール２４に押しつけられてスフェリカルバルブ２０が閉じられる利点があり、球形弁体２２の回転中心軸ｐと管路の中心線（球形弁体中心軸Ｐ）に「ずれ」があっても球形弁体２２に水圧が掛かっているのでシールに問題はない。
【０００８】
しかし、常用シール２４の取り替えなどメンテナンスのときは、球形弁体２２を僅かに回転させて常用シール２４と球形弁体２２との密接状態を解き、メンテナンスシール２３を図２（ｂ）のように水圧Ｐ1 を左から掛け右側を開放（Ｐ0）している状態から、図２（ｃ）のように水圧Ｐ1 を右から掛け左側を開放（Ｐ0 ）して球形弁体２２にメンテナンスシール２３を押しつけるようにするが、球形弁体２２の回転中心軸ｐが偏心しているので球形弁体２２が揺動してスフェリカルバルブ２０の閉止が不完全になる。
【０００９】
上記に鑑みこの発明は、球形弁体の回転中心を偏心させたスフェリカルバルブの長所を活かしながら、その欠点を取り除いたスフェリカルバルブを提供することを課題とする。
【００１０】
【課題を解決するための手段】
上記課題を解決するためにこの発明は、水力発電所の高落差水車用入口弁として採用されるスフェリカルバルブ１０であり、球形弁体１２の回転中心軸ｐを、該球形弁体１２の中心軸Ｐから、前記球形弁体１２を配置した弁胴１１の胴軸方向に対して垂直方向且つ前記球形弁体１２の中心軸Ｐに対して垂直方向に偏心させ、下流側に常用シール１４を、上流側にメンテナンスシール１３を配設し、上記メンテナンスシール１３に水圧を加えて球形弁体１２に押し付けるようにしてなるスフェリカルバルブ１０において、上記メンテナンスシール１３を上記偏心した球形弁体１２の回転中心軸上に中心点を置く円弧上に設置してなる構成を採用したものである。
【００１１】
上記の如く構成するこの発明によれば、常時使用する下流側の常用シール１４に対しては、球形弁体１２の回転中心軸が偏心しているので、球形弁体を回転させることにより常用シール１４と球形弁体１２が偏心運動により密接してバルブが閉止され、メンテナンス時にのみ使用する上流側のメンテナンスシール１３は、偏心した球形弁体１２の回転中心軸ｐ上に中心点を置く円弧上に設置しているのでメンテナンスシール１３と球形弁体１２の回転中心軸ｐが一致し、メンテナンスシール１３を高圧水で押しつけたとき球形弁体１２は揺動せず確実に球形弁体に密接してバルブが閉止される。
【００１２】
【発明の実施の形態】
次にこの発明に係るスフェリカルバルブについて図１を参照しながら説明する。スフェリカルバルブ１０は、弁胴１１と、弁胴１１の内側に配置された球形弁体１２と、弁胴１１の下流側に設置された常用シール１４と、上流側に設置されたメンテナンスシール１３とからなっている。
【００１３】
上記球形弁体１２の回転中心軸ｐは、球形弁体１２の回転中心軸Ｐよりαだけ偏心しており、常用シール１４は球形弁体１２の中心軸Ｐ上に中心点を置く円弧上に設置され、メンテナンスシール１３は偏心した球形弁体１２の回転中心軸ｐ上に中心点を置く円弧上に設置されている。
【００１４】
従って、常用シール１４を使用しているときは、上述のように球形弁体１２は、その偏心運動により常用シール１４に押しつけられて問題なくバルブが閉じられる。
【００１５】
一方、常用シール１４の取り替えなどメンテナンスのときは、球形弁体１２を僅かに廻して密接状態を解き、メンテナンスシール１３を図１（ｂ）のように水圧Ｐ1 を左から掛け右側を開放（Ｐ0 ）している状態から、図１（ｃ）のように水圧Ｐ1 を右から掛け左側を開放（Ｐ0 ）して球形弁体１２にメンテナンスシール１３を押しつけるようにしてスフェリカルバルブ１０を閉じる。
【００１６】
ここで、メンテナンスシール１３の位置を、偏心した球形弁体１２の回転中心軸ｐ上に中心点を置く円弧上に設置したので、球形弁体１２の周囲とメンテナンスシール１３が一致してシールが確実になる。
【００１７】
【発明の効果】
以上説明したようにこの発明によれば、球形弁体の回転中心軸を偏心させているので球形弁体を回転させることにより常用シールに球形弁体が密接してバルブを閉じることができ、常用シールの取り替えなどメンテナンスを行うときはメンテナンスシールに水圧を加えて球形弁体に押しつけてバルブを閉じる。
【００１８】
このとき、メンテナンスシールの設置位置を、偏心した球形弁体の回転中心軸上に中心点を置く円弧上に設置しているので、メンテナンスシールを球形弁体に押しつけたとき球形弁体が動揺することなく確実にバルブが閉じられる。
【図面の簡単な説明】
【図１】（ａ）この発明に係るスフェリカルバルブの構成図
（ｂ）同非使用状態のメンテナンスシール部分拡大図
（ｃ）同使用状態のメンテナンスシール部分拡大図
【図２】（ａ）従来型のスフェリカルバルブの構成図
（ｂ）同非使用状態のメンテナンスシール部分拡大図
（ｃ）同使用状態のメンテナンスシール部分拡大図
【符号の説明】
１０，２０  スフェリカルバルブ
１１，２１  弁胴
１２，２２  球形弁体
１３，２３  メンテナンスシール
１４，２４  常用シール
Ｐ  球形弁体の中心軸
ｐ  球形弁体の回転中心軸
【図１】
0003830412.tif 000002
【図２】
0003830412.tif 000003